(57)【特許請求の範囲】
【請求項１】
避難誘導の図柄を表示する誘導表示部と、
上記誘導表示部の側方または下方に設けられ、略直線状に並べて配置された複数の補助光源と、
上記複数の補助光源の点灯パターンを表す信号を出力する設定回路と、
上記複数の補助光源を上記点灯パターンで点滅させるために用いるデータを記憶する記憶回路を備え、上記設定回路から出力された上記信号を取得し、取得した上記信号と上記記憶回路に記憶された上記データとに基づいて、上記複数の補助光源を時系列に順に点滅させる補助光源制御部と
を有することを特徴とする誘導灯装置。
【請求項２】
避難誘導の図柄を表示する誘導表示部と、
上記誘導表示部の側方または下方に設けられ、略直線状に並べて配置された複数の補助光源と、
上記複数の補助光源において繰り返し周期で繰り返される一連の点灯パターンを表す点灯パターン番号を出力する設定回路と、
上記点灯パターン番号に対応付けて、上記複数の補助光源を時系列に順に点滅させる上記一連の点灯パターンを表すデータを記憶する記憶回路を備え、上記設定回路から出力された上記点灯パターン番号を取得し、取得した上記点灯パターン番号に対応する上記データに基づいて、上記複数の補助光源を上記一連の点灯パターンで点滅させる補助光源制御部と
を有することを特徴とする誘導灯装置。
【請求項３】
上記記憶回路は、
上記繰り返し周期の開始時点からの経過時間と、上記複数の補助光源の点灯パターンとを対応付けた上記データを記憶し、
上記補助光源制御部は、
上記点灯パターン番号に対応する上記データに基づいて、上記繰り返し周期の開始時点からの経過時間に応じた点灯パターンで上記複数の補助光源を点滅させることを特徴とする請求項２に記載の誘導灯装置。
【請求項４】
上記補助光源制御部は、
パルスを発生させるパルス発生回路と、上記パルス発生回路により発生するパルスを上記繰り返し周期の開始時点から数えるカウンタ回路とを備え、
上記記憶回路は、
上記設定回路が出力した上記点灯パターン番号と、上記カウンタ回路が数えたパルスの数により表される上記繰り返し周期の開始時点からの経過時間とによって定まる記憶領域に、上記経過時間に応じた点灯パターンを表すビットデータを記憶する請求項３に記載の誘導灯装置。
【請求項５】
上記設定回路は、
外部に露出し、上記点灯パターン番号を選択させる切り替えスイッチを備えることを特徴とする請求項２から４のいずれか一項に記載の誘導灯装置。
【請求項６】
上記複数の補助光源は、上記誘導表示部の横に設けられ、略鉛直方向に並べて配置され、略水平方向へ向けて光を放射し、１つの補助光源または隣接した複数の補助光源からなる複数の補助光源群のうちのいずれかに所属し、
上記補助光源制御部は、上記複数の補助光源群を下から順に点滅させ、または、上記複数の補助光源群を下から順に点灯させて一斉に消灯させることを特徴とする請求項１から５のいずれか一項に記載の誘導灯装置。
【請求項７】
上記補助光源制御部は、上記複数の補助光源群のうちいずれかの補助光源群を点灯してから、上記補助光源群の上側に隣接する補助光源群を点灯させるまでの時間を、上にいくほど長くすることを特徴とする請求項６に記載の誘導灯装置。
【請求項８】
上記複数の補助光源は、所属する補助光源群が上になるほど暗く点灯することを特徴とする請求項６または７に記載の誘導灯装置。
【請求項９】
上記複数の補助光源は、上記誘導表示部の下に設けられ、略水平方向に並べて配置され、略鉛直下方向へ向けて光を放射し、１つの補助光源または隣接した複数の補助光源からなる複数の補助光源群のうちのいずれかに所属し、
上記補助光源制御部は、上記複数の補助光源群を左から順に点滅させ、または、上記複数の補助光源群を左から順に点灯させて一斉に消灯させ、または、上記複数の補助光源群を右から順に点滅させ、または、上記複数の補助光源群を右から順に点灯させて一斉に消灯させ、または、上記複数の補助光源群を中央から左右へ向かって順に点滅させ、または、上記複数の補助光源群を中央から左右へ向かって順に点灯させて一斉に消灯させ、または、上記複数の補助光源群を一斉に点滅させることを特徴とする請求項１または２に記載の誘導灯装置。
【発明の詳細な説明】
【技術分野】
【０００１】
この発明は、誘導灯装置に関する。
【背景技術】
【０００２】
室内に設けられ、停電時に、室内にいる者に対して、非常口などの避難経路を示す誘導灯装置がある。誘導灯装置は、表示する図柄によって、そこが非常口であることや避難経路の方向などを表示する。
【先行技術文献】
【特許文献】
【０００３】
【特許文献１】特開２００７−１９３９８１号公報
【発明の概要】
【発明が解決しようとする課題】
【０００４】
視界が悪い場合など、誘導灯装置が目立たず、避難経路がわからない場合がある。
この発明は、例えば、上記のような課題を解決するためになされたものであり、誘導灯装置を目立たせ、避難経路をわかりやすく示すことを目的とする。
【課題を解決するための手段】
【０００５】
この発明にかかる誘導灯装置は、避難誘導の図柄を表示する誘導表示部と、上記誘導表示部の側方または下方に設けられ、略直線状に並べて配置された複数の補助光源と、上記複数の補助光源を順に点滅させることにより、避難方向を示唆させる補助光源制御部とを有することを特徴とする。
【発明の効果】
【０００６】
この発明にかかる誘導灯装置によれば、複数の補助光源が順に点滅することにより、誘導灯装置が目立ち、避難方向をわかりやすく示すことができる。
【図面の簡単な説明】
【０００７】
【図１】実施の形態１における誘導灯装置１００の外観を示す斜視図。
【図２】実施の形態１における誘導灯装置１００のブロック構成を示す構成図。
【図３】実施の形態１における補助点灯回路１５５及び補助光源回路１３１の詳細な構成を示す構成図。
【図４】実施の形態１における記憶回路１６４が記憶したデータと、点滅部１３０の点灯パターンとの関係を示す図。
【図５】実施の形態２における補助点灯回路１５５及び補助光源回路１３１の詳細な構成を示す構成図。
【図６】実施の形態２における点滅部１３０の一つの点灯パターンを示す図。
【図７】実施の形態２における点滅部１３０の別の点灯パターンを示す図。
【図８】実施の形態３における補助点灯回路１５５及び補助光源回路１３１の詳細な構成を示す構成図。
【図９】実施の形態３における点滅部１３０の一つの点灯パターンと、制御回路１６７が出力する制御信号との関係を示す図。
【図１０】実施の形態３における点滅部１３０の別の点灯パターンを示す図。
【図１１】実施の形態３における点滅部１３０の更に別の点灯パターンを示す図。
【図１２】実施の形態４における誘導灯装置１００の外観を示す斜視図。
【図１３】実施の形態４における補助点灯回路１５５及び補助光源回路１３１の詳細な構成を示す構成図。
【図１４】実施の形態４における点滅部１３０の一つの点灯パターンを示す図。
【図１５】実施の形態４における点滅部１３０の別の点灯パターンを示す図。
【図１６】実施の形態４における点滅部１３０の更に別の点灯パターンを示す図。
【図１７】実施の形態４における点滅部１３０のまた更に別の点灯パターンを示す図。
【発明を実施するための形態】
【０００８】
実施の形態１．
実施の形態１について、図１〜図４を用いて説明する。
【０００９】
図１は、この実施の形態における誘導灯装置１００の外観を示す斜視図である。
誘導灯装置１００は、例えば、天井や壁面に取り付けて使用され、停電時に、室内にいる人を非常口などの避難経路へ誘導する。誘導灯装置１００は、例えば、器具本体１１０と、誘導表示部１２０と、２つの点滅部１３０とを有する。器具本体１１０は、例えば、略直方体箱状であり、内部に充電池や誘導灯回路などを内蔵している。
誘導表示部１２０（表示部）は、器具本体１１０の前面に設けられている、誘導表示部１２０は、例えば、表示板と光源とを有する。表示板は、略長方形板状であり、避難誘導の図柄が描かれている。表示板は、器具本体１１０に対して着脱自在に取り付けられている。光源（主光源）は、表示板の背後に位置し、光源が点灯すると、表示板に描かれた避難誘導の図柄が発光する。光源は、例えば、冷陰極蛍光ランプ、ＬＥＤ、有機ＥＬなどである。
２つの点滅部１３０（非常時点灯部）は、器具本体１１０の誘導表示部１２０が設けられた面と同じ面に設けられている。一方の点滅部１３０は、誘導表示部１２０の右隣に位置し、もう一方の点滅部１３０は、誘導表示部１２０の左隣に位置する。点滅部１３０は、誘導表示部１２０の辺に沿って略鉛直方向に伸びる長尺形状である。それぞれの点滅部１３０は、例えば、複数の光源と、カバーとを有する。複数の光源（補助光源）は、略鉛直方向に略直線状に並んで配置されている。複数の光源は、例えばＬＥＤである。カバーは、例えば略半円筒形状であり、透明または半透明で、複数の光源を覆っている。
【００１０】
図２は、この実施の形態における誘導灯装置１００のブロック構成を示す構成図である。
誘導灯装置１００は、例えば、主光源回路１２１と、補助光源回路１３１と、充電池１４０と、誘導灯回路１５０とを有する。主光源回路１２１は、誘導表示部１２０の光源を含む回路である。補助光源回路１３１は、点滅部１３０の光源を含む回路である。充電池１４０（バッテリ）は、平常時に、商用電源などの交流電源ＡＣから供給される電力により充電され、停電時に、誘導表示部１２０や点滅部１３０の光源を点灯する電力を供給する。
誘導灯回路１５０は、例えば、電源回路１５１と、停電判定回路１５２と、充放電回路１５３と、主点灯回路１５４と、補助点灯回路１５５と、設定回路１５６とを有する。電源回路１５１（常用点灯回路）は、交流電源ＡＣから供給される交流電力を直流電力に変換する。停電判定回路１５２（判定部）は、電源回路１５１に対して交流電源ＡＣから電力が供給されているか否かを監視し、停電発生の有無を判定して、判定結果を表わす信号（電源切替信号）を出力する。充放電回路１５３（バッテリ充放電回路）は、停電判定回路１５２が停電でないと判定した場合に、電源回路１５１が変換した直流電力により、充電池１４０を充電するとともに、主点灯回路１５４や補助点灯回路１５５に対して供給する。充放電回路１５３は、停電判定回路１５２が停電であると判定した場合、充電池１４０に充電された電力を、主点灯回路１５４や補助点灯回路１５５に対して供給する。主点灯回路１５４（表示部点灯回路、インバータ回路）は、充放電回路１５３から供給された電力を、主光源回路１２１に供給する電力（例えば高周波電力）に変換する。誘導表示部１２０の光源は、主点灯回路１５４から供給された電力により点灯する。補助点灯回路１５５（ＬＥＤ点灯回路、補助光源制御部）は、充放電回路１５３から供給された電力を、補助光源回路１３１に供給する電力に変換する。点滅部１３０の光源は、補助点灯回路１５５から供給された電力により点灯する。主点灯回路１５４及び補助点灯回路１５５は、停電判定回路１５２の判定結果に基づいて、平常時と停電時（非常時）とで異なる動作をする。補助点灯回路１５５（補助光源制御部）は、平常時には動作せず、停電時のみ動作する。すなわち、点滅部１３０の光源は、平常時には点灯せず、停電時のみ点灯する。設定回路１５６（選択部）は、点滅部１３０の停電時における点灯パターン（点滅パターン）を設定する。設定回路１５６は、例えば、切り替えスイッチなどを有し、切り替えスイッチの位置が複数の点灯パターンのなかから選択された点灯パターンを示す。設定回路１５６は、設定した点灯パターンを表わす信号（設定信号）を出力する。なお、設定回路１５６の切り替えスイッチは、ユーザが任意に切り替えることができるよう、器具本体１１０の下面などに露出している構成であってもよいし、ユーザが勝手に切り替えることができないよう、器具本体１１０の内部に設ける構成であってもよい。
【００１１】
図３は、この実施の形態における補助点灯回路１５５及び補助光源回路１３１の詳細な構成を示す構成図である。
補助点灯回路１５５は、例えば、電源部１６１と、パルス発生回路１６２と、カウンタ回路１６３と、記憶回路１６４と、論理和回路１６５と、スイッチ１６６とを有する。
電源部１６１は、充放電回路１５３から供給された電力を、補助光源回路１３１に供給する電力に変換する。電源部１６１は、例えば、補助光源回路１３１を流れる電流の値が所定の目標電流値に一致するよう、出力する電力を調整する定電流電源である。電源部１６１は、停電判定回路１５２が出力した信号を入力し、入力した信号が表わす停電判定回路１５２の判定結果に基づいて、停電時のみ動作する。
パルス発生回路１６２は、所定の周期（例えば１秒）ごとに１つのパルスを発生する。パルス発生回路１６２は、電源部１６１と同様、停電判定回路１５２が出力した信号を入力し、入力した信号が表わす停電判定回路１５２の判定結果に基づいて、停電時のみ動作する。
カウンタ回路１６３は、パルス発生回路１６２が発生したパルスの数を数える。カウンタ回路１６３は、数えたパルスの数を表わす信号を出力する。カウンタ回路１６３は、例えば、ｍ本（ｍは、１以上の整数。）の信号線を使って、数えたパルスの数をｍビットの２進数で表わす信号を出力する。
記憶回路１６４（記憶部）は、不揮発性メモリであり、点滅部１３０の停電時における点灯パターンを表わすデータを記憶している。記憶回路１６４は、例えば、ｎ＋ｍ個（ｎは、１以上の整数。）のアドレス入力端子と、６個のデータ出力端子とを有する。記憶回路１６４は、アドレス入力端子から入力した信号が表わすアドレスによって指定される記憶領域に記憶した６ビットのデータを、データ出力端子から出力する。ｎ＋ｍ個のアドレス入力端子のうちｍ個は、パルスの数を表わす信号をカウンタ回路１６３が出力する信号線に接続している。また、残りのｎ本は、点灯パターンを表わす信号を設定回路１５６が出力する信号線に接続している。この例において、設定回路１５６は、ｎ本の信号線を使って、点灯パターンの番号をｎビットの２進数で表わす信号を出力する。記憶回路１６４のデータ出力端子のうちの１つは、カウンタ回路１６３のリセット入力端子に接続している。
論理和回路１６５は、カウンタ回路１６３のデータ出力端子のうち、カウンタ回路１６３のリセット入力端子に接続しているデータ出力端子以外の５つのデータ出力端子から出力されたビット（点灯制御信号）のうちのいずれかが「１」である場合に、「１」を出力する。スイッチ１６６は、論理和回路１６５の出力が「１」のときオンになり、論理和回路１６５の出力が「０」のときオフになる。なお、スイッチ１６６がオフのとき電源部１６１が電流を流そうとしないよう、論理和回路１６５の出力を電源部１６１に入力し、論理和回路１６５の出力が「０」のときは、電源部１６１の動作を一時的に停止させる構成としてもよい。
【００１２】
補助光源回路１３１は、例えば、１０個の光源モジュール１３２を有する。光源モジュール１３２（補助光源群）は、例えば、３個の光源１３３と、スイッチ１３４とを有する。３個の光源１３３は、略直線状に並んて配置され、直列に電気接続している。スイッチ１３４は、３個の光源１３３の直列回路に対して並列に電気接続している。スイッチ１３４は、制御端子からの入力にしたがって、オンオフする。光源モジュール１３２は、３個の光源１３３の直列回路の両端にそれぞれ接続した２つの電力入力端子と、スイッチ１３４の制御端子に接続した１つの制御入力端子とを有する。１０個の光源モジュール１３２のうちの５個は、１つの点滅部１３０に属し、全部で１５個の光源１３３が略直線状に並ぶよう配置されている。残りの５個の光源モジュール１３２は、もう１つの点滅部１３０に属し、同様に、全部で１５個の光源１３３が略直線状に並ぶよう配置されている。
また、誘導灯装置１００は、１０本のハーネス１７０を有する。それぞれのハーネス１７０は、３本の配線を有する。１０本のハーネス１７０は、１０個の光源モジュール１３２それぞれと、補助点灯回路１５５との間を接続している。ハーネス１７０の３本の配線は、接続した光源モジュール１３２の２つの電力入力端子と１つの制御入力端子とに、それぞれ電気接続している。
１０個の光源モジュール１３２の電力入力端子は、ハーネス１７０を介して、補助点灯回路１５５のなかで、スイッチ１６６と直列に電気接続し、１０個の光源モジュール１３２とスイッチ１６６との直列回路が電源部１６１の出力に電気接続している。また、１０個の光源モジュール１３２のうち左右の点滅部１３０の同じ位置（高さ）に配置されている光源モジュール１３２の制御入力端子は、ハーネス１７０を介して、補助点灯回路１５５のなかで電気接続し、記憶回路１６４のデータ出力端子に電気接続している。
【００１３】
記憶回路１６４は、設定回路１５６が出力した信号が表わす点灯パターンの番号と、カウンタ回路１６３が数えたパルスの数、すなわち、カウンタ回路１６３がリセットされてからの経過時間とによって定まる記憶領域に記憶した６ビットのデータを出力する。そのうちの５ビットは、そのビットのデータ出力端子に電気接続された２つの光源モジュール１３２を点灯するか消灯するかを表わす。データ出力端子から出力された信号は、光源モジュール１３２の制御入力端子に入力される。例えば、そのビットが「１」の場合、スイッチ１３４がオフになって光源１３３が点灯し、そのビットが「０」の場合、スイッチ１３４がオンになって光源１３３が消灯する。なお、５ビットすべてが「０」の場合は、スイッチ１６６がオフになって、すべての光源１３３が消灯する。
残りの１ビットは、繰り返し周期の終わりを表わす。データ出力端子から出力された信号は、カウンタ回路１６３のリセット入力端子に入力される。例えば、そのビットが「０」の場合、カウンタ回路１６３は、パルスを入力するたびに、数えたパルスの数を１つずつ増やし、そのビットが「１」の場合、カウンタ回路１６３は、パルスを入力すると、数えたパルスの数を「０」に初期化する。
【００１４】
図４は、この実施の形態における記憶回路１６４が記憶したデータと、点滅部１３０の点灯パターンとの関係を示す図である。
データ５０２は、記憶回路１６４が記憶したデータであり、左側のアドレス５０１によって指定される記憶領域に記憶されている。なお、この図において、アドレス５０１及びデータ５０２は、２進数で記載している。
アドレス５０１は、例えば、８ビットである。そのうちの上位２ビットが、設定回路１５６が出力する点灯パターンの番号に対応し、下位６ビットが、カウンタ回路１６３が出力する経過時間に対応する。また、データ５０２のうち、最上位の１ビットが、カウンタ回路１６３のリセット入力となるビットであり、下位５ビットが、光源モジュール１３２の点灯消灯を制御するビットである。
【００１５】
停電判定回路１５２が停電であると判定すると、電源部１６１及びパルス発生回路１６２が動作を開始する。カウンタ回路１６３が数えたパルスの数は、「０」である。
設定回路１５６に設定された点灯パターンの番号が「０」である場合、記憶回路１６４は、アドレス５０１が「００００００００」である記憶領域に記憶したデータ５０２「０００００１」を出力する。これにより、点滅部１３０の光源モジュール１３２のうち、最下位ビットに対応する一番下の光源モジュール１３２だけが点灯する。
１秒経過後、パルス発生回路１６２がパルスを発生し、カウンタ回路１６３が数えたパルスの数が「１」になる。記憶回路１６４は、アドレス５０１「０００００００１」に記憶したデータ５０２「０００００１」を出力する。点灯する光源モジュール１３２は変わらず、一番下の光源モジュール１３２だけが点灯を続ける。
２秒経過後、パルス発生回路１６２がパルスを発生し、カウンタ回路１６３が数えたパルスの数が「２」になる。記憶回路１６４は、アドレス５０１「００００００１０」に記憶したデータ５０２「００００１０」を出力する。これにより、一番下の光源モジュール１３２は消灯し、下から２番目のビットに対応する下から２番目の光源１３３だけが点灯する。
このようにして、点灯する光源モジュール１３２は、記憶回路１６４が記憶したデータ５０２が表わす点灯パターンにしたがって、時間の経過とともに変化する。
【００１６】
９秒経過後、カウンタ回路１６３が数えたパルスの数は「９」になり、記憶回路１６４は、アドレス５０１「００００１００１」に記憶したデータ５０２「１１００００」を出力する。最上位ビットが「１」なので、カウンタ回路１６３が次にパルスを入力したとき、カウンタ回路１６３が数えたパルスの数は「０」になる。
１０秒経過後、パルス発生回路１６２がパルスを発生すると、カウンタ回路１６３が数えたパルスの数が「０」になり、記憶回路１６４は、アドレス５０１「００００００００」に記憶したデータ５０２「０００００１」を出力する。すなわち、この点灯パターンは、１０秒を周期とした繰り返しである。
【００１７】
この例の点灯パターンにおいて、点滅部１３０の光源モジュール１３２は、一番下の光源モジュール１３２から点灯を始め、２秒経過後、点灯した光源モジュール１３２が消灯して、一つ上の光源モジュール１３２が点灯する。これを繰り返して一番上の光源モジュール１３２まで行くと、再び、一番下の光源モジュール１３２が点灯する。１つの点滅部１３０に５個の光源モジュール１３２があるので、１０秒周期でこれを繰り返す。
光源モジュール１３２が下から順に１つずつ時系列に点灯するので、見た者に対して、誘導灯装置１００がある方向への避難を示唆することができる。
【００１８】
設定回路１５６に設定された点灯パターンの番号が「１」である場合、停電判定直後において、カウンタ回路１６３が数えたパルスの数が「０」なので、記憶回路１６４は、アドレス５０１「０１００００００」に記憶したデータ５０２「００００００」を出力する。これにより、点滅部１３０の光源モジュール１３２は、すべて消灯する。
２秒経過後、カウンタ回路１６３が数えたパルスの数が「２」になり、記憶回路１６４は、アドレス５０１「０１００００１０」に記憶したデータ５０２「０００００１」を出力する。これにより、点滅部１３０の光源モジュール１３２のうち、一番下の光源モジュール１３２だけが点灯する。
４秒経過後、カウンタ回路１６３が数えたパルスの数が「４」になり、記憶回路１６４は、アドレス５０１「０１０００１００」に記憶したデータ５０２「００００１１」を出力する。これにより、一番下の光源モジュール１３２は点灯を続け、下から２番目の光源モジュール１３２が点灯する。
このように、記憶回路１６４が出力するデータの複数のビットが「１」であれば、それに対応する複数の光源モジュール１３２が点灯する。
【００１９】
１１秒経過後、カウンタ回路１６３が数えたパルスの数が「１１」になり、記憶回路１６４は、アドレス５０１「０１００１０１１」に記憶したデータ５０２「１１１１１１」を出力する。最上位ビットが「１」なので、１２秒経過後、パルス発生回路１６２がパルスを発生すると、カウンタ回路１６３が数えたパルスの数が「０」になる。すなわち、この点灯パターンは、１２秒を周期とした繰り返しである。
【００２０】
この例の点灯パターンにおいて、点滅部１３０の光源モジュール１３２は、一番下の光源モジュール１３２から点灯を始め、２秒経過後、点灯している光源モジュール１３２は点灯を続けたまま、一つ上の光源モジュール１３２が点灯する。これを繰り返して一番上の光源モジュール１３２まで行くと、すべての光源モジュール１３２が消灯し、更に２秒経過後、再び、一番下の光源モジュール１３２が点灯する。１つの点滅部１３０に５個の光源モジュール１３２があるので、１２秒周期でこれを繰り返す。
光源モジュール１３２が下から順に時系列に点灯していって一斉に消灯するので、見た者に対して、誘導灯装置１００がある方向への避難を示唆することができる。
【００２１】
このように、設定回路１５６に設定する点灯パターンの番号を変えることにより、点滅部１３０の点灯パターンを容易に変更することができる。また、点灯パターンごとに異なる繰り返しの周期を設定することができる。
【００２２】
なお、光源モジュール１３２は、３個の光源１３３ではなく、１個の光源１３３を有する構成でもよいし、２個の光源１３３を有する構成でもよいし、４個以上の光源１３３を有する構成でもよい。また、光源モジュール１３２は、複数の光源モジュール１３２の間で、光源１３３の数が異なる構成であってもよい。光源モジュール１３２は、複数の光源１３３が直列接続された構成であってもよいし、並列接続された構成であってもよいし、直並列接続された構成であってもよい。光源モジュール１３２は、スイッチ１３４が光源１３３と並列に電気接続された構成でもよいし、光源１３３と直列に電気接続された構成であってもよい。補助光源回路１３１は、１０個の光源モジュール１３２ではなく、９個以下の光源モジュール１３２を有する構成であってもよいし、１１個以上の光源モジュール１３２を有する構成であってもよい。補助光源回路１３１は、複数の光源モジュール１３２が直列接続された構成であってもよいし、並列接続された構成であってもよい。補助光源回路１３１は、光源モジュール１３２ごとに独立して光源１３３を点灯・消灯させられる構成であれば、他の構成であってもよい。
【００２３】
なお、パルス発生回路１６２が発生させるパルスが１秒周期なので、光源モジュール１３２の点灯状態は、２秒ごとではなく、１秒ごとに変えることができる。また、パルス発生回路１６２が発生させるパルスの周期をもっと短くすれば、光源モジュール１３２の点灯状態をもっと短い間隔で変えることもできる。
また、左右の点滅部１３０において、同じ高さの光源モジュール１３２が同時に点灯し消灯するのではなく、左右の点滅部１３０が異なるタイミングで点滅する構成であってもよいし、異なる点灯パターンで点滅する構成であってもよい。あるいは、左右の点滅部１３０のうち、どちらか一方のみを点灯させる構成であってもよい。例えば、記憶回路１６４が記憶するデータのビット数を１１ビットとし、そのうちの１０ビットを出力するデータ出力端子を、１０個の光源モジュール１３２それぞれの制御入力端子に電気接続する。
また、記憶回路１６４のデータ出力端子と、光源モジュール１３２の制御入力端子との間に、データを保持するラッチ回路や、信号の極性やレベルを変換する回路などが介在する構成であってもよい。
また、スイッチ１３４は、光源モジュール１３２が有するのではなく、誘導灯回路１５０の一部である構成でもよい。
【００２４】
以上のような点灯パターンで点滅部１３０が点灯することにより、誘導灯装置１００が目立ちやすくなり、視認性が高くなり、避難方向が明確になるので、室内にいる者に対して避難口を知らせることができる。
また、点滅部１３０の光源１３３を時系列に点灯させるので、点滅部１３０における電力消費を抑えることができる。これにより、点滅部１３０を長時間点灯させて避難誘導をすることができるので、地震発生時など、足元が悪くなるなどして避難に時間がかかる場合にも対応できる。
また、点滅部１３０を誘導表示部１２０のすぐ横に設けることにより、誘導灯装置１００の大きさは、点滅部１３０を設けない場合とほぼ変わらず、大きくならない。
また、誘導灯装置１００は、交流電源ＡＣからの電力供給があるかないかだけに基づいて動作するので、遠隔制御装置や自動火災設備や煙感知器などからの信号を入力する必要がなく、システムを簡素化できる。
【００２５】
実施の形態２．
実施の形態２について、図５〜図７を用いて説明する。
なお、実施の形態１と共通する部分については、同一の符号を付し、説明を省略する。
【００２６】
図５は、この実施の形態における補助点灯回路１５５及び補助光源回路１３１の詳細な構成を示す構成図である。
補助光源回路１３１は、点滅部１３０ごとに１つずつ光源モジュールを有する。それぞれの光源モジュールは、１５個の光源１３３と、５個のスイッチ１３４ａ〜１３４ｅとを有する。１５個の光源１３３は、略直線状に配置され、直列に電気接続している。スイッチ１３４ａは、１５個の光源１３３のうち一番上に位置する１個の光源１３３に並列に電気接続している。スイッチ１３４ｂは、１５個の光源１３３のうち上から２番目及び３番目に位置する２個の光源１３３に並列に電気接続している。スイッチ１３４ｃは、１５個の光源１３３のうち上から４番目から６番目までに位置する３個の光源１３３に並列に電気接続している。スイッチ１３４ｄは、１５個の光源１３３のうち上から７番目から１０番目までに位置する４個の光源１３３に並列に電気接続している。スイッチ１３４ｅは、１５個の光源１３３のうち、上から１１番目から一番下までに位置する５個の光源１３３に並列に電気接続している。光源モジュールは、１５個の光源１３３の直列回路の両端にそれぞれ接続した２つの電力入力端子と、５個の光源１３３の制御端子にそれぞれ接続した５つの制御入力端子とを有する。
誘導灯装置１００は、２本のハーネス１７０を有する。それぞれのハーネス１７０は、７本の配線を有する。２本のハーネス１７０は、２個の点滅部１３０の光源モジュールそれぞれと、補助点灯回路１５５との間を接続している。ハーネス１７０の７本の配線は、接続した光源モジュールの２つの電力入力端子と５つの制御入力端子とに、それぞれ電気接続している。
２個の光源モジュールの電力入力端子は、ハーネス１７０を介して、補助点灯回路１５５のなかで、直列に電気接続し、電源部１６１の出力に電気接続している。また、２個の光源モジュール１３２の制御入力端子のうち、同じ位置（高さ）に配置されている光源１３３と並列のスイッチ１３４に接続した制御入力端子は、ハーネス１７０を介して、補助点灯回路１５５のなかで電気接続し、記憶回路１６４のデータ出力端子に電気接続している。
【００２７】
図６は、この実施の形態における点滅部１３０の一つの点灯パターンを示す図である。
記憶回路１６４が記憶したデータ５０２は、実施の形態１で説明で説明したものと同じであるとする。設定回路１５６に設定された点灯パターンの番号が「０」である場合、停電判定直後から２秒後までの２秒間は、一番下から５番目までの５個の光源１３３が点灯する。２秒後から４秒後までの２秒間は、下から６番目から９番目までの４個の光源１３３が点灯する。４秒後から６秒後までの２秒間は、下から１０番目から１２番目までの３個の光源１３３が点灯する。６秒後から８秒後までの２秒間は、下から１３番目及び１４番目の２個の光源１３３が点灯する。８秒後から１０秒後までの２秒間は、一番上の光源１３３が点灯する。点滅部１３０は、１０秒周期でこれを繰り返す。
点灯する光源の数が、上に行くほど少なくなるので、遠方から見ると、上に行くほど光の長さが短くなるように見え、遠近法的な錯覚を生むので、視覚的・感覚的に、誘導灯装置１００がある方向への避難を示唆することができる。
【００２８】
図７は、この実施の形態における点滅部１３０の別の点灯パターンを示す図である。
設定回路１５６に設定された点灯パターンの番号が「１」である場合、停電判定直後から２秒後までの２秒間は、１５個の光源１３３すべてが消灯する。２秒後から４秒後までの２秒間は、一番下から５番目までの５個の光源１３３が点灯する。４秒後から６秒後までの２秒間は、一番下から９番目までの９個の光源１３３が点灯する。６秒後から８秒後までの２秒間は、一番下から１２番目までの１２個の光源１３３が点灯する。８秒後から１０秒後までの２秒間は、一番下から１４番目までの１４個の光源１３３が点灯する。１０秒後から１２秒後までの２秒間は、１５個の光源１３３すべてが点灯する。点滅部１３０は、１２秒周期でこれを繰り返す。
新たに点灯する光源の数が、上に行くほど少なくなるので、遠方から見ると、上に行くほど光の長さの伸びが小さくなるように見え、遠近法的な錯覚を生むので、視覚的・感覚的に、誘導灯装置１００がある方向への避難を示唆することができる。
【００２９】
このように、光源１３３（補助光源群）は、光源モジュールごとに分かれて点灯消灯する必要はない。また、同時に点灯消灯する光源１３３の数は、異なっていてもよい。なお、同時に点灯消灯する光源１３３の数は、１個・２個・３個・４個・５個のように１個ずつ増えるのではなく、例えば１個・３個・５個・７個・９個のように２個ずつ増える構成であってもよいし、１個・２個・４個・８個・１６個のように２倍に増える構成であってもよい。
【００３０】
なお、実施の形態と同様、複数の光源１３３を複数の光源モジュールに分け、光源モジュールごとに点灯消灯する構成であってもよい。あるいは、１つの光源モジュールに含まれる複数の光源１３３を、複数のグループに分けて、グループごとに点灯消灯する構成であってもよい。また、複数の光源モジュールを１つのグループとして、同時に点灯消灯する構成であってもよい。また、同時に点灯消灯する光源１３３のグループの数は、４つ以下である構成でもよいし、６つ以上である構成でもよい。
【００３１】
実施の形態３．
実施の形態３について、図８〜図１１を用いて説明する。
なお、実施の形態１または実施の形態２と共通する部分については、同一の符号を付し、説明を省略する。
【００３２】
図８は、この実施の形態における補助点灯回路１５５及び補助光源回路１３１の詳細な構成を示す構成図である。
補助点灯回路１５５は、電源部１６１と、制御回路１６７と、論理和回路１６５と、スイッチ１６６とを有する。
制御回路１６７は、例えば、マイコンである。マイコンは、例えば、記憶装置と、処理装置と、入力装置と、出力装置とを有する。記憶装置は、処理装置が実行するプログラムや処理装置が処理するデータを記憶する。処理装置は、記憶装置が記憶したプログラムを実行することにより、データを処理し、マイコン全体を制御する。入力装置は、マイコンの外部から信号を入力し、処理装置が処理できる形式のデータに変換する。入力装置が変換したデータは、処理装置が直接処理してもよいし、記憶装置が一時的に記憶してもよい。出力装置は、処理装置が処理したデータや記憶装置が記憶したデータを、信号に変換して、マイコンの外部へ出力する。
制御回路１６７は、停電判定回路１５２や設定回路１５６が出力した信号を入力して、補助光源回路１３１の１０個のスイッチ１３４ａ〜１３４ｊを制御する１０の制御信号を出力する。
【００３３】
図９は、この実施の形態における点滅部１３０の一つの点灯パターンと、制御回路１６７が出力する制御信号との関係を示す図である。
制御信号５１１ａ〜５１１ｊは、制御回路１６７が出力し、スイッチ１３４ａ〜１３４ｊが入力する制御信号を表わす。点灯数５１２は、同時に点灯する光源１３３の数を表わす。
【００３４】
この点灯パターンは、図７で説明した点灯パターンとほぼ同じである。異なる点は、光源１３３を点灯する明るさ（照度、調光度）である。光源１３３は、上に行くほど暗く点灯する。例えば、一番下から５番目までの５個の光源１３３は、調光度１００％で点灯し、下から６番目から９番目までの４個の光源１３３は、それよりも暗く、例えば調光度８０％で点灯し、下から１０番目から１２番目までの３個の光源１３３は、それよりも更に暗く、例えば調光度６０％で点灯し、下から１３番目及び１４番目の２個の光源１３３は、更に更に暗く、例えば調光度３０％で点灯し、一番上の光源１３３は、一番暗く、例えば調光度１５％で点灯する。
制御回路１６７は、１２秒周期のうち、一番上の光源１３３を点灯する１０秒目から１２秒目までの期間、一番上の光源１３３と並列のスイッチ１３４ａ，１３４ｆに対する制御信号５１１ａ，５１１ｆとして、所定の周波数（例えば１００Ｈｚ）の矩形波信号を生成する。制御信号５１１ａ，５１１ｆは、一周期（例えば１０ミリ秒）のうち１５％の期間（例えば１．５ミリ秒）の間だけスイッチ１３４ａ，１３４ｆをオフにして、一番上の光源１３３を点灯させる。これにより、一番上の光源１３３は、高速で点滅して１５％の期間のみ発光するので、１５％の明るさで点灯しているように見える。
制御回路１６７は、１２秒周期のうち、下から１３番目及び１４番目の光源１３３を点灯する８秒目から１２秒目までの期間、その光源と並列のスイッチ１３４ｂ，１３４ｇに対する制御信号５１１ｂ，５１１ｇとして、一周期のうち３０％の期間だけスイッチ１３４ｂ，１３４ｇをオフにして光源１３３を点灯させる矩形波信号を生成する。これにより、下から１３番目及び１４番目の光源１３３は、３０％の明るさで点灯しているように見える。
制御回路１６７は、１２秒周期のうち、下から１０番目から１２番目までの３個の光源１３３を点灯する６秒目から１２秒目までの期間、その光源と並列のスイッチ１３４ｃ，１３４ｈに対する制御信号５１１ｃ，５１１ｈとして、一周期のうち６０％の期間だけスイッチ１３４ｃ，１３４ｈをオフにして光源１３３を点灯させる矩形波信号を生成する。これにより、下から１０番目から１２番目までの３個の光源１３３は、６０％の明るさで点灯しているように見える。
制御回路１６７は、１２秒周期のうち、下から６番目から９番目までの４個の光源１３３を点灯する４秒目から１２秒目までの期間、その光源と並列のスイッチ１３４ｄ，１３４ｉに対する制御信号５１１ｄ，５１１ｉとして、一周期のうち８０％の期間だけスイッチ１３４ｄ，１３４ｉをオフにして光源１３３を点灯させる矩形波信号を生成する。これにより、下から６番目から９番目までの４個の光源１３３は、８０％の明るさで点灯しているように見える。
制御回路１６７は、１２秒周期のうち、一番下から５番目までの５個の光源１３３を点灯する２秒目から１２秒目までの期間、その光源と並列のスイッチ１３４ｅ，１３４ｊに対する制御信号５１１ｅ，５１１ｊとして、スイッチ１３４ｅ，１３４ｊをオフにして光源１３３を点灯させる信号を生成する。これにより、一番下から５番目までの５個の光源１３３は、１００％の明るさで点灯する。
このように、光源１３３を点灯する明るさを、上に行くほど暗くすることにより、遠方から見ると、遠近法的な錯覚が更に大きくなり、視覚的・感覚的に、誘導灯装置１００がある方向への避難を示唆することができる。
【００３５】
矩形波信号の一周期（例えば１０ミリ秒）において、制御回路１６７は、それぞれの光源１３３を点灯させるタイミングをずらして、同時に点灯させる光源１３３の数（点灯数５１２）がなるべく均等になるようにする。
例えば、１２秒周期のうち４秒目から６秒目までの期間において、制御回路１６７は、左右の点滅部１３０を合わせて９個×２＝１８個の光源１３３を点灯するが、そのうちの８個は、８０％の期間しか点灯しない。制御回路１６７は、左の点滅部１３０の４個の光源１３３を点灯するタイミングと、右の点滅部１３０の４個の光源１３３を点灯するタイミングとをずらして、同時に点灯する光源１３３の数を１４個〜１８個の範囲内にする。
また、１２秒周期のうち６秒目から８秒目までの期間において、制御回路１６７は、全部で２４個の光源１３３を点灯するが、同時に点灯する光源１３３の数を１８個〜２１個の範囲内にする。
同様に、１２秒周期のうち８秒目から１０秒目までの期間において、制御回路１６７は、全部で２８個の光源を点灯するが、同時に点灯する光源１３３の数を２０個〜２２個の範囲内にする。
１２秒周期のうち１０秒目から１２秒目までの期間において、制御回路１６７は、３０個全部の光源１３３を点灯するが、同時に点灯する光源１３３の数を２１個〜２２個の範囲内にする。
このように、同時に点灯する光源１３３の数をなるべく均等にし、同時に点灯する光源１３３の数の最大値をなるべく小さく抑えるだけでなく、最小値をなるべく大きくすることにより、電源部１６１の出力電圧の変動が小さくなる。このため、例えば電源部１６１の出力段に平滑コンデンサを設ける場合、平滑コンデンサの静電容量をある程度小さくすることができる。
【００３６】
図１０は、この実施の形態における点滅部１３０の別の点灯パターンを示す図である。
この例の点灯パターンにおいて、光源１３３を点灯する順序は、図９の例と同じであるが、各点灯状態の持続時間が異なる。
停電判定直後から１秒後までの１秒間は、１５個の光源１３３すべてが消灯する。１秒後から３秒後までの２秒間は、一番下から５番目までの５個の光源１３３が点灯する。３秒後から６秒後までの３秒間は、一番下から９番目までの９個の光源１３３が点灯する。６秒後から１０秒後までの間は、一番下から１２番目までの１２個の光源１３３が点灯する。１０秒後から１５秒後までの間は、一番下から１４番目までの１４個の光源１３３が点灯する。１５秒後から２１秒後までの間は、１５個の光源１３３すべてが点灯する。点滅部１３０は、２１秒周期でこれを繰り返す。
このように、各点灯状態の持続時間を、上の光源１３３が点灯したときほど長くすることにより、遠方から見ると、上に行くほど光の動きがゆっくりになり、遠近法的な錯覚が更に大きくなるので視覚的・感覚的に、誘導灯装置１００がある方向への避難を示唆することができる。
【００３７】
図１１は、この実施の形態における点滅部１３０の更に別の点灯パターンを示す図である。
この例の点灯パターンは、複数の点灯パターンを複合した点灯パターンである。例えば、第一の点灯パターンを所定の回数または所定の時間繰り返したのち、第二の点灯パターンに移行して、第二の点灯パターンを繰り返す。この例では、図９で説明した１２秒周期の点灯パターンを５回繰り返し、停電検出から１分経過したのち、各点灯状態の持続時間を１秒に縮めた６秒周期の点灯パターンに移行する。
このように、点灯パターンを途中で切り替えることにより、停電開始からの経過時間を表わすことができる。特に、経過時間が長くなるほど点灯パターンの周期を短くすることにより、見た者に対して、急いで避難するよう示唆することができる。
なお、点灯パターンを切り替えるまでの経過時間は、１分に限らず、もっと短くてもよいし、もっと長くてもよい。例えば、点灯パターンを切り替えるまでの経過時間は、消防法に定められた法定点灯時間（２０分または６０分）であってもよい。また、設定回路１５６において、点灯パターンを切り替える時間を任意の時間に設定できる構成としてもよい。これにより、部屋の大きさや環境に合わせて、点灯パターンを切り替える時間を変えることができる。
【００３８】
点滅部１３０の光源１３３を調光点灯するので、点滅部１３０における電力消費を更に抑えることができる。これにより、点滅部１３０を長時間点灯させて避難誘導をすることができるので、地震発生時など、足元が悪くなるなどして避難に時間がかかる場合にも対応できる。
【００３９】
なお、制御回路１６７を用いず、実施の形態１のように記憶回路１６４を用いた構成により、光源１３３を調光点灯したり、複数の点灯パターンを組み合わせた点灯パターンで光源１３３を点滅させたりする構成であってもよい。また、制御回路１６７を用いた構成により、実施の形態１や実施の形態２で説明した点灯パターンで光源１３３を点滅する構成であってもよい。
【００４０】
実施の形態４．
実施の形態４について、図１２〜図１７を用いて説明する。
なお、実施の形態１〜実施の形態３と共通する部分については、同一の符号を付し、説明を省略する。
【００４１】
図１２は、この実施の形態における誘導灯装置１００の外観を示す斜視図である。
点滅部１３０は、器具本体１１０の下面に位置する。点滅部１３０は、５個の光源１３３ａ〜１３３ｅを有する。５個の光源１３３ａ〜１３３ｅは、誘導表示部１２０に対して略平行な略直線状に並べて配置されている。光源１３３ａ〜１３３ｅは、それぞれ、略鉛直下方向を中心とする方向へ向けて光を放射する。
【００４２】
図１３は、この実施の形態における補助点灯回路１５５及び補助光源回路１３１の詳細な構成を示す構成図である。
補助光源回路１３１は、５個の光源１３３ａ〜１３３ｅと、５個のスイッチ１３４ａ〜１３４ｅとを有する。５個のスイッチ１３４ａ〜１３４ｅは、５個の光源１３３ａ〜１３３ｅとそれぞれ並列に電気接続し、それぞれのスイッチ１３４ａ〜１３４ｅと光源１３３ａ〜１３３ｅとの並列回路が直列に５個電気接続している。５個の並列回路の直列回路は、ハーネス１７０を介して、電源部１６１の出力に電気接続している。５個のスイッチ１３４ａ〜１３４ｅの制御入力端子は、ハーネス１７０を介して、記憶回路１６４の５個のデータ出力端子にそれぞれ電気接続している。
【００４３】
図１４は、この実施の形態における点滅部１３０の一つの点灯パターンを示す図である。
点滅部１３０は、所定の期間（例えば０．５秒）ごとに点灯状態を変え、５つの点灯状態を一つの周期（例えば２．５秒）として繰り返す。
最初の点灯状態において、一番右の光源１３３ｅが点灯し、他の４つの光源１３３ａ〜１３３ｄは消灯している。次の点灯状態において、光源１３３ｅが消灯し、右から２番目の光源１３３ｄが点灯する。その次の点灯状態において、光源１３３ｄが消灯し、真ん中の光源１３３ｃが点灯する。更にその次の点灯状態において、光源１３３ｃが消灯し、左から２番目の光源１３３ｂが点灯する。最後の点灯状態において、光源１３３ｂが消灯し、一番左の光源１３３ａが点灯する。その後、最初の点灯状態に戻る。
この点灯パターンは、非常口などの避難経路が左方向である場合に使用する。その場合、誘導表示部１２０には、左向きの矢印が描かれた表示板が取り付けられる。その図柄による表示に加えて、点灯する光源１３３が右から左へ流れることにより、見た者に対して、左方向への避難を示唆することができる。
【００４４】
図１５は、この実施の形態における点滅部１３０の別の点灯パターンを示す図である。
この点灯パターンも、５つの点灯状態を一つの周期として繰り返す。
最初の点灯状態において、一番左の光源１３３ａが点灯し、他の４つの光源１３３ｂ〜１３３ｅは消灯している。次の点灯状態において、光源１３３ａが消灯し、左から２番目の光源１３３ｂが点灯する。その次の点灯状態において、光源１３３ｂが消灯し、真ん中の光源１３３ｃが点灯する。更にその次の点灯状態において、光源１３３ｃが消灯し、右から２番目の光源１３３ｄが点灯する。最後の点灯状態において、光源１３３ｄが消灯し、一番右の光源１３３ｅが点灯する。その後、最初の点灯状態に戻る。
この点灯パターンは、非常口などの避難経路が右方向にある場合に使用する。その場合、誘導表示部１２０には、右向きの矢印が描かれた表示板が取り付けられる。その図柄による表示に加えて、点灯する光源１３３が左から右へ流れることにより、見た者に対して、右方向への避難を示唆することができる。
【００４５】
図１６は、この実施の形態における点滅部１３０の更に別の点灯パターンを示す図である。
この点灯パターンは、４つの点灯状態を一つの周期（例えば２秒）として繰り返す。
最初の点灯状態において、真ん中の光源１３３ｃが点灯し、他の４つの光源１３３ａ，１３３ｂ，１３３ｄ，１３３ｅは消灯している。次の点灯状態において、光源１３３ａが消灯し、左から２番目の光源１３３ｂと、右から２番目の光源１３３ｄとが点灯する。その次の点灯状態において、光源１３３ｂ，１３３ｄが消灯し、一番左の光源１３３ａと、一番右の光源１３３ｅとが点灯する。最後の点灯状態において、すべての光源１３３ａ〜１３３ｅが消灯する。その後、最初の点灯状態に戻る。
この点灯パターンは、非常口などの避難経路が左右両方向にある場合に使用する。その場合、誘導表示部１２０には、左右両向きの両矢印が描かれた表示板が取り付けられる。その図柄による表示に加えて、点灯する光源１３３が真ん中から左右へ流れることにより、見た者に対して、左右いずれかの方向への避難を示唆することができる。
【００４６】
図１７は、この実施の形態における点滅部１３０のまた更に別の点灯パターンを示す図である。
この点灯パターンは、２つの点灯状態を一つの周期（例えば１秒）として繰り返す。
最初の点灯状態において、すべての光源１３３ａ〜１３３ｅが点灯する。次の点灯状態において、すべての光源１３３ａ〜１３３ｅが消灯する。その後、最初の点灯状態に戻る。
この点灯パターンは、非常口などの避難経路が真下にある場合に使用する。その場合、誘導表示部１２０には、非常口を表わす図柄が描かれた表示板が取り付けられる。その図柄による表示に加えて、すべての光源１３３が点滅することにより、見た者に対して、その方向への避難を示唆することができる。
【００４７】
誘導灯装置１００の真下もしくはその近傍にいる場合、誘導表示部１２０に表示された図形が見えない可能性がある。点滅部１３０が誘導灯装置１００の下側についているので、誘導灯装置１００の真下もしくはその近傍にいて、誘導表示部１２０に表示された図形が見えない者に対しても、避難経路を示唆することができる。
【００４８】
なお、設定回路１５６は、スライドスイッチやロータリースイッチなど手動で設定を切り替えるスイッチを有する構成であってもよいし、誘導表示部１２０に表示される図柄を判別して、自動で設定を切り替える構成であってもよい。例えば、表示板の一部を、描かれた図形によって異なる形状とし、設定回路１５６のスイッチがその部分と係合してスイッチが押されることにより、設定回路１５６がその形状を判別する構成であってもよい。
【００４９】
以上、各実施の形態で説明した構成は一例であり、他の構成であってもよい。例えば、異なる実施の形態で説明した構成を組み合わせた構成であってもよいし、本質的でない部分の構成を他の構成で置き換えた構成であってもよい。
【符号の説明】
【００５０】
１００  誘導灯装置、１１０  器具本体、１２０  誘導表示部、１２１  主光源回路、１３０  点滅部、１３１  補助光源回路、１３２  光源モジュール、１３３  光源、１３４，１６６  スイッチ、１４０  充電池、１５０  誘導灯回路、１５１  電源回路、１５２  停電判定回路、１５３  充放電回路、１５４  主点灯回路、１５５  補助点灯回路、１５６  設定回路、１６１  電源部、１６２  パルス発生回路、１６３  カウンタ回路、１６４  記憶回路、１６５  論理和回路、１６７  制御回路、１７０  ハーネス、５０１  アドレス、５０２  データ、５１１  制御信号、５１２  点灯数。
【図１】
0005783775.tif 000002
【図２】
0005783775.tif 000003
【図３】
0005783775.tif 000004
【図４】
0005783775.tif 000005
【図５】
0005783775.tif 000006
【図６】
0005783775.tif 000007
【図７】
0005783775.tif 000008
【図８】
0005783775.tif 000009
【図９】
0005783775.tif 000010
【図１０】
0005783775.tif 000011
【図１１】
0005783775.tif 000012
【図１２】
0005783775.tif 000013
【図１３】
0005783775.tif 000014
【図１４】
0005783775.tif 000015
【図１５】
0005783775.tif 000016
【図１６】
0005783775.tif 000017
【図１７】
0005783775.tif 000018